(57)【要約】【課題】光ディスクの面ブレに対応しレンズ駆動部の取付調整を可能としながら薄型に構成し得るようにする。【解決手段】光ピックアップ２７のレンズ駆動部２９は、アクチュエータ固定部３１においてワイヤ３３が取り付けられている空間部３１Ｇにダンプ剤ＤＭを充填すると共に、当該アクチュエータ固定部３１の上側にカバー板４０を取り付け、空間カバー部４１Ａ及び４１Ｂにより空間部３１Ｇのダンプ剤ＤＭを覆うことにより、上下方向に関する厚さを殆ど増加させることなく、レンズホルダ３４の移動範囲を確保しつつダンプ剤ＤＭを指等の接触から保護することができる。【選択図】図５
2009205714.tif 000002
【特許請求の範囲】
【請求項１】
所定の光源が設けられ所定の移動部により光ディスクの径方向に移動されるベース部と、
上記ベース部に取り付けられると共に、上記光ディスク側を解放するよう成形された空間部を有する固定部と、
上記空間部を形成する一側面に一端が固定された１本以上のワイヤと、
上記光源から出射された光ビームを上記光ディスクに集光するレンズを保持すると共に、上記各ワイヤの他端が取り付けられ上記固定部に対して揺動し得る可動部と、
上記空間部内における上記各ワイヤの一端近傍に充填され粘性を有するダンプ剤と、
上記固定部の上記光ディスク側に取り付けられ、上記可動部を露出させると共に上記空間部を覆うカバー板と
を具えることを特徴とする光ピックアップ。
【請求項２】
上記カバー板は、
所定の突出部を有し、上記固定部に設けられた孔部に上記突出部を挿入することにより、上記固定部に対して取り付けられる
ことを特徴とする請求項１に記載の光ピックアップ。
【請求項３】
上記カバー板は、
上記突出部を挟んで対向する２以上の箇所に所定の把持具により把持されるための把持部が設けられ、さらに上記突出部を中心として上記把持部よりも遠方に当該把持具が他の部品と接触することを防止する接触防止部がそれぞれ設けられている
ことを特徴とする請求項２に記載の光ピックアップ。
【請求項４】
上記カバー板は、
中央部分に対し端部分が上記突出部側に反るよう成形されている
ことを特徴とする請求項２に記載の光ピックアップ。
【請求項５】
上記カバー板は、
上記固定部に取り付けられた際、上記空間部に充填されている上記ダンプ剤のうち上記各ワイヤの上記他端側近傍を露出させるよう形成されている
ことを特徴とする請求項１に記載の光ピックアップ。
【請求項６】
上記カバー板は、
上記可動部の上記光ディスクへ近接する方向への移動範囲を規制する
ことを特徴とする請求項１に記載の光ピックアップ。
【請求項７】
所定の光源が設けられたベース部と、
上記ベース部を光ディスクの径方向に移動させる移動部と、
上記ベース部に取り付けられると共に、上記光ディスク側を解放するよう成形された空間部を有する固定部と、
上記空間部を形成する一側面に一端が固定された１本以上のワイヤと、
上記光源から出射された光ビームを上記光ディスクに集光するレンズを保持すると共に、上記各ワイヤの他端が取り付けられ上記固定部に対して揺動し得る可動部と、
上記空間部内における上記各ワイヤの一端近傍に充填され粘性を有するダンプ剤と、
上記固定部の上記光ディスク側に取り付けられ、上記可動部を露出させると共に少なくとも上記空間部を覆うカバー板と
を具えることを特徴とする光ディスク装置。
【発明の詳細な説明】
【技術分野】
【０００１】
本発明は光ピックアップ及び光ディスク装置に関し、例えばノート型コンピュータ等に搭載される薄型の光ディスク装置に適用して好適なものである。
【背景技術】
【０００２】
従来、光ディスク装置においては、光ピックアップに搭載されたレーザダイオードから光ビームを出射し、対物レンズを介して当該光ビームを光ディスクに照射すると共に、その反射光を読み取ることにより情報を再生するようになされたものが広く普及している。
【０００３】
またかかる光ディスク装置では、光ディスクに対して光ビームを照射し、当該光ディスクの局所的な反射率等を変化させることにより、情報の記録を行うようにもなされている。
【０００４】
図１（Ａ）に上面図を示すように、一般的な構成の光ピックアップ１は、ピックアップベース１Ａにレーザダイオードや各種レンズ、ミラー等の各種光学部品（図示せず）及びレンズ駆動部２が設けられている。
【０００５】
レンズ駆動部２は、ピックアップベース１Ａに取り付けられるアクチュエータ固定部３にワイヤ４の一端を固定し、当該ワイヤ４の他端をレンズホルダ５に取り付けると共に、当該レンズホルダ５に対物レンズ６が取り付けられている。またアクチュエータ固定部３におけるワイヤ４の固定箇所付近には、所定の粘性を有するダンプ剤ＤＭが充填されており、ワイヤ４の不要な振動の抑制等を行うようになされている。
【０００６】
さらにレンズ駆動部２は、レンズホルダ５の周囲にコイル８が取り付けられると共に、当該コイル８と対向するようマグネット９がヨーク１０を介してアクチュエータ固定部３に取り付けられており、コイル８及びマグネット９の組み合わせによりアクチュエータ１１を構成している。
【０００７】
実際上、光ピックアップ１は、アクチュエータ１１を制御してレンズホルダ５を対物レンズ６と一体にトラッキング方向及びフォーカス方向へ駆動することにより、当該対物レンズ６が集光する光ビームの焦点を光ディスク１００における所望のトラックに合焦させるようになされている。
【０００８】
因みにフォーカス方向とは、光ディスク１００に近接又は離隔する方向を表し、またトラッキング方向とは、光ディスク１００の径方向、すなわち内周側又は外周側へ向かう方向を表している。
【０００９】
また光ピックアップ１のなかには、図１（Ｂ）及び図１（Ｃ）に示すように、当該レンズ駆動部２をカバー１２によって覆うことにより、ワイヤ４やレンズホルダ５及びダンプ剤ＤＭ等に光ディスク１００やユーザの指等が触れることを防止するようになされたものが提案されている（例えば、特許文献１参照）。
【特許文献１】特許第３７９９０７２号公報
【発明の開示】
【発明が解決しようとする課題】
【００１０】
ところで、かかる構成の光ピックアップ１は、レンズホルダ５の移動範囲を確保すると共に、ピックアップベース１Ａにアクチュエータ固定部３を取り付ける際に取付位置や取付角度等の調整を行うため、カバー１２と当該アクチュエータ固定部３との間にある程度の隙間ｄ１を設けておく必要がある。
【００１１】
また光ピックアップ１は、回転駆動される光ディスク１００がいわゆる面ブレ等を生じた場合にも、当該光ディスク１００やレンズ駆動部２の破損を防止するために、当該光ディスク１００とカバー１２との間に隙間ｄ２を設けておく必要がある。
【００１２】
すなわち光ピックアップ１は、隙間ｄ１及びｄ２の双方を設ける必要があり、このため光ピックアップ１全体あるいは当該光ピックアップ１が搭載される光ディスク装置全体の薄型化が困難である、という問題があった。
【００１３】
本発明は以上の点を考慮してなされたもので、光ディスクの面ブレに対応しレンズ駆動部の取付調整を可能としながら薄型に構成し得る光ピックアップ及び光ディスク装置を提案しようとするものである。
【課題を解決するための手段】
【００１４】
かかる課題を解決するため本発明の光ピックアップにおいては、所定の光源が設けられ所定の移動部により光ディスクの径方向に移動されるベース部と、ベース部に取り付けられると共に、光ディスク側を解放するよう成形された空間部を有する固定部と、空間部を形成する一側面に一端が固定された１本以上のワイヤと、光源から出射された光ビームを光ディスクに集光するレンズを保持すると共に、各ワイヤの他端が取り付けられ固定部に対して揺動し得る可動部と、空間部内における各ワイヤの一端近傍に充填され粘性を有するダンプ剤と、固定部の光ディスク側に取り付けられ、可動部を露出させると共に空間部を覆うカバー板とを設けるようにした。
【００１５】
この光ピックアップは、カバー板によりダンプ剤を接触等から保護しながら、ベース部に対する固定部の取付調整用の空間及び光ディスクの面ブレに備える空間を兼用させ当該空間を必要最小限に抑えることができる。
【００１６】
また本発明の光ディスク装置においては、所定の光源が設けられたベース部と、ベース部を光ディスクの径方向に移動させる移動部と、ベース部に取り付けられると共に、光ディスク側を解放するよう成形された空間部を有する固定部と、空間部を形成する一側面に一端が固定された１本以上のワイヤと、光源から出射された光ビームを光ディスクに集光するレンズを保持すると共に、各ワイヤの他端が取り付けられ固定部に対して揺動し得る可動部と、空間部内における各ワイヤの一端近傍に充填され粘性を有するダンプ剤と、固定部の光ディスク側に取り付けられ、可動部を露出させると共に空間部を覆うカバー板とを設けるようにした。
【００１７】
この光ディスク装置は、カバー板によりダンプ剤を接触等から保護しながら、ベース部に対する固定部の取付調整用の空間及び光ディスクの面ブレに備える空間を兼用させ当該空間を必要最小限に抑えることができる。
【発明の効果】
【００１８】
本発明によれば、カバー板によりダンプ剤を接触等から保護しながら、ベース部に対する固定部の取付調整用の空間及び光ディスクの面ブレに備える空間を兼用させ当該空間を必要最小限に抑えることができ、かくして光ディスクの面ブレに対応しレンズ駆動部の取付調整を可能としながら薄型に構成し得る光ピックアップ及び光ディスク装置を実現できる。
【発明を実施するための最良の形態】
【００１９】
以下、図面について、本発明の一実施の形態を詳述する。
【００２０】
（１）光ディスク装置及び光ピックアップの構成
図２に示す光ディスク装置２０は、ＣＤ（Compact Disc）又はＤＶＤ（Digital Versatile Disc）方式の光ディスク１００に情報を記録し、また当該光ディスク１００から情報を再生し得るようになされている。
【００２１】
この光ディスク装置２０は、全体として薄型に構成されており、外周を覆う筐体部２１の内部に、図示しないスライド機構を介してトレイ部２２が組み込まれている。
【００２２】
因みに光ディスク装置２０は、例えば薄型のノート型コンピュータ装置等に搭載されることが想定されている。この場合、筐体部２１が当該ノート型コンピュータ装置の筐体等に固定される。
【００２３】
トレイ部２２は、光ディスク１００の記録又は再生を行う際には筐体部２１内に格納され、当該光ディスク１００の着脱時には図２に示したように筐体部２１の外部へスライドして露出されるようになされている。
【００２４】
またトレイ部２２には、ターンテーブル２３を介して光ディスク１００を回転駆動するスピンドルモータ２４と、送りモータ２５及びリードスクリュー２６等により当該光ディスク１００の径方向に移動される光ピックアップ２７とが設けられ、さらに図示しない制御部や信号処理部が設けられている。
【００２５】
スピンドルモータ２４は、制御部等からの回転制御命令に従い、光ディスク１００を当該回転制御命令に応じた回転速度で回転させる。また送りモータ２５は、制御部等からの移動制御命令に従い、光ピックアップ２７を当該移動制御命令に応じた位置へ移動させる。
【００２６】
光ピックアップ２７は、ピックアップベース２７Ａ内にレーザダイオードやフォトディテクタ、あるいはプリズムやミラー等の光学部品（いずれも図示せず）が取り付けられると共に、対物レンズ２８が設けられている。
【００２７】
実際上、光ピックアップ２７は、レーザダイオードから出射された光ビームを対物レンズ２８により集光し、また当該光ビームが光ディスク１００により反射されてなる反射光ビームを当該対物レンズ２８経由でフォトディテクタにより検出するようになされている。
【００２８】
さらに光ピックアップ２７は、対物レンズ２８により集光する光ビームの焦点を、光ディスク１００の信号記録層に設けられたトラックのうち所望のトラックに合わせるべく、レンズ駆動部２９により当該対物レンズ２８をフォーカス方向及びトラッキング方向に駆動制御するようになされている。
【００２９】
このように光ディスク装置２０は、トレイ部２２内で光ピックアップ２７を光ディスク１００の径方向に移動させると共に、レンズ駆動部２９により対物レンズ２８をフォーカス方向及びトラッキング方向へ移動させ得るようになされている。
【００３０】
（２）レンズ駆動部の構成
レンズ駆動部２９は、図３及び図４に示すように、アクチュエータ固定部３１を中心に構成されており、当該アクチュエータ固定部３１にヨーク３２が取り付けられると共に、当該アクチュエータ固定部３１から２群のワイヤ３３を介してレンズホルダ３４が揺動自在に取り付けられている。
【００３１】
アクチュエータ固定部３１は、略平板状の底面板３１Ａに対し中央壁部３１Ｂ、ヨーク取付部３１Ｃ、内周側の側壁３１Ｄ、外周側の側壁３１Ｅ及びワイヤ取付壁３１Ｆがいずれも上側へ突出するよう設けられており、所定の樹脂材料により一体に形成されている。
【００３２】
ヨーク３２は、薄板上の磁性体金属材料が所定形状に切り抜かれ折曲加工等されることにより構成されており、底面板３２Ａに対しマグネット取付板３２Ｂ及び３２Ｃ、並びに固定部取付板３２Ｄ及び３２Ｅを上側へ突出させるように延設されている。
【００３３】
マグネット取付板３２Ｂおよび３２Ｃには、それぞれ薄板状のマグネット３５Ａ及び３５Ｂが取り付けられる。また底面板３２Ａ、固定部取付板３２Ｄ及び３２Ｅは、それぞれアクチュエータ固定部３１の底面板３１Ａ、側壁３１Ｄ及び３１Ｅと対応する形状に形成されており、これによりヨーク３２を当該アクチュエータ固定部３１に取り付け得るようになされている。
【００３４】
アクチュエータ固定部３１のワイヤ取付壁３１Ｆには、ワイヤ挿入孔３１ＦＨが内周側及び外周側にそれぞれ３箇所ずつ穿設されている。各ワイヤ３３は、１本ずつ各ワイヤ挿入孔３１ＦＨに一端を挿入され半田付け等によって固定されることにより、３本で１群を構成するようになされている。
【００３５】
各ワイヤ３３は、ある程度の剛性を有すると共に導電性を有する金属材料により構成されている。またアクチュエータ固定部３１の表面には、図示しない配線パターンが印刷されており、側壁部３１Ｅから外方へ突出するように設けられた薄板状の端子部３１ＥＴからワイヤ挿入孔３１ＦＨの近傍まで複数の電気信号を当該配線パターンによりそれぞれ導通させ得るようになされている。
【００３６】
またアクチュエータ固定部３１は、内周側において、底面板３１Ａ、ワイヤ取付壁３１Ｆ、中央壁部３１Ｂの内周側壁３１ＢＢ及び側壁３１Ｄによって、ワイヤ３３の一端側における取付部分近傍、すなわちアクチュエータ固定部３１側の「付け根」付近を囲むことにより空間部３１Ｇを形成している。
【００３７】
これと同様にアクチュエータ固定部３１は、外周側においても、底面板３１Ａ、ワイヤ取付壁３１Ｆ、中央壁部３１Ｂの外周側壁３１ＢＣ及び側壁３１Ｅによって、ワイヤ３３の一端側における取付部分近傍を囲むことにより空間部３１Ｇを形成している。
【００３８】
因みに各空間部３１Ｇは、アクチュエータ固定部３１を成形する際の制約等により、可動側及び上側が解放された形状となっている。
【００３９】
この空間部３１Ｇには、所定の粘性を有するダンプ剤ＤＭ（図４）が充填されることにより、フォーカス制御及びトラッキング制御が行われる際の、ワイヤ３３における不要な振動を減衰又は抑制するようになされている。
【００４０】
レンズホルダ３４は、所定の樹脂材料が所定形状に成形されてなり、上面に設けられたレンズ取付孔３４Ｈに対物レンズ２８が取り付けられるようになされている。またレンズホルダ３４には、周側面の内周側及び外周側にそれぞれ板状のワイヤ取付部３４Ａ及び３４Ｂが設けられており、それぞれワイヤ取付孔３４ＡＨ及び３４ＢＨが３箇所ずつ穿設されている。
【００４１】
レンズホルダ３４は、ワイヤ３３の他端がワイヤ取付孔３４ＡＨ及び３４ＢＨにそれぞれ挿入され半田付け等されることにより、当該ワイヤと物理的及び電気的に接続するようになされている。
【００４２】
これによりレンズホルダ３４は、アクチュエータ固定部３１に対し２群のワイヤ３３を介して揺動自在に支持される。このときレンズホルダ３４は、複数のワイヤ３３により支持されているため、アクチュエータ固定部３１に対しほぼ平行に移動するようになされている。
【００４３】
またレンズホルダ３４は、後述するコイルを取り付けるためのコイル取付空間３４Ｃが内部に設けられると共に、マグネット３５Ａ及び３５Ｂとの衝突を防ぐためのマグネット貫通孔３４Ｄ及び３４Ｅが上面に設けられている。
【００４４】
レンズホルダ３４のコイル取付空間３４には、マグネット３５Ａ及び３５Ｂとそれぞれ対向するようコイル３６Ａ及び３６Ｂが取り付けられている。すなわちレンズ駆動部２９は、当該マグネット３５Ａ及びコイル３６Ａの組み合わせ並びに当該マグネット３５Ｂ及びコイル３６Ｂの組み合わせにより、それぞれアクチュエータ３７Ａ及び３７Ｂを構成するようになされている。
【００４５】
また当該コイル３６Ａ及び３６Ｂはワイヤ３３の他端とそれぞれ電気的に接続されるようになされている。これによりレンズ駆動部２９は、アクチュエータ固定部３１の端子部３１ＥＴに供給された電気信号を、各ワイヤ３３を介してレンズホルダ３４のコイル３６Ａ及び３６Ｂへ伝送することができる。
【００４６】
実際上、レンズ駆動部２９は、対物レンズ２８のフォーカス制御及びトラッキング制御を行う際、図示しない駆動回路等から供給される駆動信号を端子部３１ＥＴからコイル３６Ａ及び３６Ｂへそれぞれ伝送する。
【００４７】
このときアクチュエータ３７Ａ及び３７Ｂは、コイル３６Ａ及び３６Ｂにそれぞれ供給される電流に応じた磁力を発生させ、マグネット３５Ａ及び３５Ｂとの作用によりフォーカス方向（すなわち上側又は下側）及びトラッキング方向（すなわち内周側又は外周側）への推力を発生させることにより、レンズホルダ３４を当該フォーカス方向及びトラッキング方向へ駆動するようになされている。
【００４８】
またレンズ駆動部２９は、フォーカス制御及びトラッキング制御を効果的に行うべく、当該フォーカス制御及びトラッキング制御が行われていない自然状態において、対物レンズ２８により集光した光ビームを理想的な光ディスク１００の記録層に集光し得ることが望ましい。
【００４９】
このためレンズ駆動部２９は、自然状態における対物レンズ２８の位置や角度等をピックアップベース２７Ａ（図２）内の他の光学部品等に合わせるよう取付位置や取付角度等が調整された上で、当該ピックアップベース２７Ａに取り付けられるようになされている。
【００５０】
このようにレンズ駆動部２９は、ピックアップベース２７Ａに取り付けられるアクチュエータ固定部３１から複数のワイヤ３３を介してレンズホルダ３４を揺動自在に支持すると共に、アクチュエータ３７Ａ及び３７Ｂにより当該レンズホルダ３４をフォーカス方向及びトラッキング方向へ駆動するようになされている。
【００５１】
（３）カバー板の構成
かかる構成に加え、レンズ駆動部２９には、図５に示すように、アクチュエータ固定部３１の上面にカバー板４０が取り付けられるようになされている。
【００５２】
このカバー板４０は、所定の樹脂材料が所定の型枠を用いて成形されることにより、図６（Ａ）及び（Ｂ）に示すように、板状部４１を中心として全体的に薄板状に構成されており、また樹脂材料の性質によりある程度の弾性を有している。
【００５３】
板状部４１は、そのほぼ中央に下側へ突出した突出部４２を有している。突出部４２は、下端部が下側から上側へ向けて徐々に径を広げる円錐状に形成されると共に、固定側及び可動側に突出した爪部４２Ａが設けられている。また突出部４２は、固定側及び可動側に２分割されると共に隙間が設けられている。
【００５４】
この突出部４２は、カバー板４０をアクチュエータ固定部３１に取り付ける際に、アクチュエータ固定部３１の中央天板部３１ＢＤ（図４）に設けられた取付孔３１Ｈに挿入されるようになされている。
【００５５】
このとき突出部４２は、可動側及び固定側を互いに近接させるよう押し曲げられた状態で取付孔３１Ｈを通過し、爪部４２Ａが中央天板部３１ＢＤの下面側に達すると弾性力の作用により可動側及び固定側を互いに離隔させ当該爪部４２Ａを中央天板部３１ＢＤの下面に係合させる。これにより突出部４２は、当該取付孔３１Ｈから上側へ容易に抜け出ないようになされている。
【００５６】
また板状部４１の下側には、アクチュエータ固定部３１における中央壁部３１Ｂの内周側壁３１ＢＢ及び外周側壁３１ＢＣとそれぞれ当接する位置に、位置決め爪４３Ａ、４３Ｂ、４３Ｃ及び４３Ｄが設けられている。
【００５７】
またカバー板４０は、アクチュエータ固定部３１に取り付けられた際、板状部４１の内周側端部４１Ｐ及び外周側端部４１Ｑをそれぞれアクチュエータ固定部３１の側壁３１Ｄ及び３１Ｅの上面にそれぞれ当接させるようになされている。
【００５８】
ここでカバー板４０は、成型時に型枠から射出される際に、所定の突き出し機構等により下側面における中央寄りの部分が上側方向へ突き出されることにより、図７に湾曲線Ｃとして示すように、全体として中央部分が上側に、内周側端部４１Ｐ及び外周側端部４１Ｑが下側に反るようになされている。
【００５９】
このためカバー板４０は、突出部４２がアクチュエータ固定部３１の取付孔３１Ｈに挿入され爪部４２Ａを中央天板部３１ＢＤの下面に係合させるだけで、板状部４１の内周側端部４１Ｐ及び外周側端部４１Ｑを浮き上がらせることなくアクチュエータ固定部３１の側壁３１Ｄ及び３１Ｅの上面にそれぞれ当接させ得るようになされている。
【００６０】
このときカバー板４０は、板状部４１における内周側の空間カバー部４１Ａ及び外周側の空間カバー部４１Ｂ（図６（Ａ））により、内周側及び外周側の空間部３１Ｇをそれぞれ上側から覆うようになされている。
【００６１】
ところでカバー板４０は、空間カバー部４１Ａにおいて、内周側端部４１Ｐの固定側及び可動側方向に関する長さｄ１が、中央壁部３１Ｂの内周側壁３１ＢＢと当接する部分である内周側壁当接部４１Ｒにおける同方向に関する長さｄ２よりも短くなるようになされている。
【００６２】
またカバー板４０は、空間カバー部４１Ｂにおいても、空間カバー部４１Ａと対称に、外周側端部４１Ｑの固定側及び可動側方向に関する長さｄ１が、中央壁部３１Ｂの外周側壁３１ＢＣと当接する部分である外周側壁当接部４１Ｓにおける同方向に関する長さｄ２よりも短くなるようになされている。
【００６３】
このためレンズ駆動部２９は、図８に上面図を示すように、カバー板４０により空間部３１Ｇのダンプ剤ＤＭを完全には覆わず、内周側端部４１Ｐ近傍及び外周側端部４１Ｑ近傍において当該ダンプ剤ＤＭを一部露出させるようになされている。
【００６４】
これによりカバー板４０は、指等をダンプ剤ＤＭに触れ難くし得ると共に、フォーカス制御によりレンズホルダ３４が上方に移動され、これに伴いワイヤ３３の他端側が上方へ撓った場合であっても、当該ワイヤ３３と干渉しないようになされている。
【００６５】
さらにカバー板４０（図６（Ａ））は、板状部４１における突出部４２の可動側及び固定側に、把持用孔４４及び４５がそれぞれ設けられている。実際上、カバー板４０は、レンズ可動部２９の製造工程等において、作業者によりピンセット等の把持具が当該把持用孔４４及び４５に挿入された状態で把持され、突出部４２が取付孔３１Ｈに挿入されることによりアクチュエータ固定部３１に取り付けられる。
【００６６】
また把持用孔４４は、可動側が解放されておらずストッパ部４４Ｇが設けられることにより孔状に形成されている。これと同様に把持用孔４５は、固定側が解放されておらずストッパ部４５Ｇが設けられることにより孔状に形成されている。
【００６７】
これによりカバー板４０は、例えばアクチュエータ固定部３１に取り付けられた直後、ピンセット等の把持具に加えられていた挟み込む力が解放された際、当該把持具をストッパ部４４Ｇ及び４５Ｇに当接させるため、レンズホルダ３４等へ当接させることを防止できる。
【００６８】
そのうえカバー板４０は、レンズホルダ３４の可動範囲と干渉することなくアクチュエータ固定部３１のみを覆うよう構成されているため、レンズホルダ３４の上面を当該カバー板４０よりも上側へ移動させることができる。
【００６９】
またカバー板４０は、ストッパ部４４Ｇが可動側へ延長されており、当該ストッパ部４４Ｇをレンズホルダ３４の固定側下端部に設けられた爪部（図示せず）に当接させることにより、当該レンズホルダ３４の上方向への移動範囲を規制し得るようにもなされている。
【００７０】
このようにカバー板４０は、アクチュエータ固定部３１に対し容易に取り付け得ると共に、空間カバー部４１Ａ及び４１Ｂにより空間部３１Ｇのダンプ剤ＤＭを効果的に覆うようになされている。
【００７１】
（４）動作及び効果
以上の構成において、光ピックアップ２７のレンズ駆動部２９は、アクチュエータ固定部３１によりワイヤ３３を介してレンズホルダ３４を揺動自在に保持し、当該ワイヤ３３が取り付けられた根本付近の空間部３１Ｇに粘性を有するダンプ剤ＤＭを充填する。
【００７２】
またレンズ駆動部２９は、アクチュエータ固定部３１の上側にカバー板４０を取り付け、空間カバー部４１Ａ及び４１Ｂにより空間部３１Ｇのダンプ剤ＤＭを覆うようにした。
【００７３】
従ってレンズ駆動部２９は、カバー板４０が取り付けられることにより、上下方向に関する厚さを殆ど増加させることなく、ダンプ剤ＤＭを指等の異物による接触から保護することができる。
【００７４】
この場合レンズ駆動部２９は、カバー板４０をアクチュエータ固定部３１に隙間無く直接取り付けているため、ピックアップベース２７Ａに対するアクチュエータ固定部３１の取付位置を調整するために必要な空間と、光ディスク１００に面ブレ等が生じた際の衝突を回避するために必要な空間とを兼用させることができる。
【００７５】
この結果レンズ駆動部２９は、ピックアップベース２７Ａに対するアクチュエータ固定部３１の取付位置を調整可能としながら、従来のカバー部により当該レンズ駆動部を全体的に覆い各空間をそれぞれ独立に設けていた従来の光ピックアップ１（図１（Ｃ））と比較して、上下方向の厚さを大幅に削減することができる。
【００７６】
またカバー板４０は、空間カバー部４１Ａ及び４１Ｂにおける内周側端部４１Ｐ及び外周側端部４１Ｑにおける長さｄ１が、内周側壁当接部４１Ｒ及び外周側壁当接部４１Ｓの長さｄ２よりも短くなされていることにより、ダンプ剤ＤＭを保護しながら、ワイヤ３３が撓る際の当該ワイヤ３３との干渉を未然に防止できる。
【００７７】
特にレンズ駆動部２９は、全体として上下方向に薄く形成されているため、アクチュエータ固定部３１のワイヤ取付壁３１Ｆにおける上端に近い位置にまでワイヤ３３の一端が取り付けられている。このためワイヤ３３は、レンズホルダ３４が上方向に移動した際に、他端側から当該一端に近い部分まで側壁３１Ｄ及び３１Ｅの上端を超えて撓るものの、空間カバー部４１Ａ及び４１Ｂに遮られることなくレンズホルダ３４の動きに追従することができ、当該レンズホルダ３４の移動範囲を不要に制限することがない。
【００７８】
この場合レンズ駆動部２９は、内周側端部４１Ｐ及び外周側端部４１Ｑの近傍においてダンプ剤ＤＭを直接露出させているものの、その露出部分は一般的な指等よりも遙かに小さく、またアクチュエータ固定部３１における側壁３１Ｄ及び３１Ｅが可動側へ延長されていることから、指等がダンプ剤ＤＭに直接触れることをほぼ確実に防止できる。
【００７９】
特に光ディスク装置２０は、一般的な薄型の光ディスク装置と同様、光ディスク１００の着脱時に光ピックアップ２７を外部へ露出させる構造であるものの（図２）、カバー板４０が設けられていることにより、ユーザによって当該光ディスク１００が着脱される際に誤って指等がレンズ駆動部２９又はその近傍に触れたとしても、ダンプ剤ＤＭに直接触れてしまうことを未然に防止することができる。
【００８０】
さらにカバー板４０は、爪部４２Ａを有する突出部４２並びに位置決め爪４３Ａ、４３Ｂ、４３Ｃ及び４３Ｄが設けられ、さらに内周側端部４１Ｐ及び外周側端部４１Ｑが下側へ反るように成形されている。
【００８１】
これによりカバー板４０は、突出部４２を取付孔３１に挿入させると共に、位置決め爪４３Ａ、４３Ｂ、４３Ｃ及び４３Ｄを内周側壁３１ＢＢ及び外周側壁３１ＢＣに当接させるだけで、板状部４１の内周側端部４１Ｐ及び外周側端部４１Ｑを浮き上がらせることなく側壁３１Ｄ及び３１Ｅの上面にそれぞれ当接させることができ、アクチュエータ固定部３１に対し正しい取付状態で容易に装着され得る。
【００８２】
このときカバー板４０は、位置決め爪４３Ａ及び４３Ｂを内周側壁３１ＢＢに当接させると共に、位置決め爪４３Ｃ及び４３Ｄを外周側壁３１ＢＣに当接させることにより、孔部３１Ｈが円形に形成されているものの、アクチュエータ固定部３１に対し突出部４２を中心に回転してしまうことを未然に防止することができる。
【００８３】
さらにレンズ駆動部２９は、カバー板４０の空間カバー部４１Ａ及び４１Ｂをそれぞれダンプ剤ＤＭと接触させているため、当該ダンプ剤ＤＭの粘性により、アクチュエータ固定部３１に対するカバー板４０の取付状態の維持に貢献することにもなり得る。
【００８４】
そのうえカバー板４０は、ストッパ部４４Ｇ及び４５Ｇが設けられていることにより、ピンセット等の把持具が解放された際にレンズホルダ３４やアクチュエータ固定部３１等に当接することを防止でき、当該レンズホルダ３４に比較的強い力が加えられワイヤ３３を変形させてしまうことを未然に防止することができる。
【００８５】
以上の構成によれば、光ピックアップ２７のレンズ駆動部２９は、アクチュエータ固定部３１において上側が解放されワイヤ３３が取り付けられている空間部３１Ｇにダンプ剤ＤＭを充填すると共に、当該アクチュエータ固定部３１の上側にカバー板４０を取り付け、空間カバー部４１Ａ及び４１Ｂにより空間部３１Ｇのダンプ剤ＤＭを覆うことにより、上下方向に関する厚さを殆ど増加させることなく、レンズホルダ３４の移動範囲を確保しつつダンプ剤ＤＭを指等の接触から保護することができる。
【００８６】
（５）他の実施の形態
なお上述した実施の形態においては、カバー板４０の突出部４２（図６（Ｂ））をアクチュエータ固定部３１の取付孔３１Ｈ（図３及び図４）に挿入することにより、当該カバー板４０を当該アクチュエータ固定部３１に取り付けるようにした場合について述べたが、本発明はこれに限らず、例えば位置決め爪４３Ａ、４３Ｂ、４３Ｃ及び４３Ｄにさらに爪部４２Ａのような爪を設け、これにより内周側壁３１ＢＢ及び外周側壁３１ＢＣに引っ掛けるように固定するなど、種々の手法を用いて当該カバー板４０を当該アクチュエータ固定部３１に取り付けるようにしても良い。
【００８７】
また上述した実施の形態においては、突出部４２の爪部４２Ａを中央天板部３１ＢＤの下面に係合させることにより、カバー板４０をアクチュエータ固定部３１に取り付けるようにした場合について述べたが、本発明はこれに限らず、例えば突出部４２の周側面と孔部３１Ｈの内周面との摩擦力により取付状態を維持できるような場合に、突出部４２から爪部４２Ａを省略する等しても良い。
【００８８】
さらに上述した実施の形態においては、カバー板４０にストッパ部４４Ｇ及び４５Ｇを設け把持用孔４４及び４５を孔状とするようにした場合について述べたが、本発明はこれに限らず、例えばストッパ部４４Ｇ及び４５Ｇが省略されたような把持用切欠部等を設け、或いは特に把持用の部分を設けず任意の部分を把持させるようにしても良い。また把持用孔の数は３以上であっても良く、この場合、取付時に力が加わる突出部４２を挟んで対向するような位置に各把持用孔が設けられていることが好ましい。
【００８９】
さらに上述した実施の形態においては、カバー板４０に、成型時の射出により湾曲線Ｃ（図７）のように中央部分が上側に湾曲したような反りを持たせるようにした場合について述べたが、本発明はこれに限らず、例えば当該反りを持たせず平面状に形成するようにしても良く、要は内周側端部４１Ｐ及び外周側端部４１Ｑをそれぞれ側壁３１Ｄ及び３１Ｅの上面にそれぞれ当接若しくは十分に近接させ得るようになされていれば良い。
【００９０】
さらに上述した実施の形態においては、カバー板４０の内周側端部４１Ｐ及び外周側端部４１Ｑにおける長さｄ１が、内周側壁当接部４１Ｒ及び外周側壁当接部４１Ｓにおける長さｄ２よりも短くなされていることにより、ダンプ剤ＤＭを保護しながら、ワイヤ３３が撓る際の当該ワイヤ３３との干渉を防止するようにした場合について述べたが、本発明はこれに限らず、例えばワイヤ３３が撓る範囲と干渉しないことが判明している場合に、カバー板４０の内周側端部４１Ｐ及び外周側端部４１Ｑを長さｄ２とする等しても良い。
【００９１】
さらに上述した実施の形態においては、３本で１群を構成するワイヤ３３を２群設けるようにした場合について述べたが、本発明はこれに限らず、任意数のワイヤ３３を任意群数だけ設けるようにしても良い。この場合、ワイヤ３３の数としてはアクチュエータ固定部３１とレンズホルダ３４との間で接続すべき信号線の数以上であれば良く、またレンズホルダ３４を平行移動させる観点から、２本以上で１群を構成すると共に２群以上のワイヤ３３が設けられていることが望ましい。
【００９２】
さらに上述した実施の形態においては、カバー板４０のストッパ部４４Ｇが可動側へ延長されていることによりレンズホルダ３４の上側への移動範囲を規制するようにした場合について述べたが、本発明はこれに限らず、カバー板４０によりレンズホルダ３４の上側への移動範囲を規制しないようにしても良い。
【００９３】
この場合、例えばアクチュエータ固定部３１の中央壁部３１Ｂ等に所定の爪部を設け、当該爪部がレンズホルダ３４の固定側下端に設けられた爪部と当接することにより当該レンズホルダ３４の上方向への移動範囲を規制する等すれば良い。
【００９４】
さらに上述した実施の形態においては、レンズ駆動部２９がレンズホルダ３４をフォーカス方向及びトラッキング方向の２軸方向に駆動し得るようにした場合について述べたが、本発明はこれに限らず、例えばレンズ駆動部２９によりレンズホルダ３４のトラッキング方向への傾きを変化させる、いわゆるチルト駆動をも行い得るようになされていても良い。
【００９５】
具体的には、例えばワイヤ取付壁３１Ｆがアクチュエータ固定部３１に対して固定側及び可動側を結ぶ回転軸を中心に回転し得るようにしておき、アクチュエータ固定部３１（図３）の中央壁部３１Ｂ内に所定のコイル及びマグネットでなるアクチュエータを追加して、ワイヤ取付壁３１Ｆ、ワイヤ３３、レンズホルダ３４及び対物レンズ２８を一体に回転駆動させれば良い。
【００９６】
さらに上述した実施の形態においては、光ディスク装置２０において光ディスク１００の着脱時等にトレイ部２２が筐体部２１の外部へスライドするようにした場合について述べたが、本発明はこれに限らず、例えば当該光ディスク装置２０において光ディスク１００のローディング機構を有する、いわゆるスロットイン型とするようにしても良い。
【００９７】
さらに上述した実施の形態においては、光ディスク装置２０がＣＤ方式及びＤＶＤ方式の光ディスク１００に対応するようにした場合について述べたが、本発明はこれに限らず、例えば当該光ディスク装置２０がいずれか一方の方式のみに対応し、或いはさらにＢＤ（Blu-ray Disc、登録商標）方式等の他の方式にも対応し得るようにする等、種々の方式の光ディスク１００に対応し得るようになされていても良い。
【００９８】
さらに上述した実施の形態においては、光ディスク装置２０が光ディスク１００に対し情報の記録及び再生の双方を行い得るようにした場合について述べたが、本発明はこれに限らず、例えば光ディスク装置２０が情報の再生のみを行う等、光ディスク装置２０が記録又は再生のいずれか一方のみを行うようになされていても良い。
【００９９】
特にこの場合、例えばＤＶＤ方式の光ディスク１００については情報の再生のみを行いＣＤ方式の光ディスク１００については情報の記録及び再生の双方を行う等、記録及び再生の可否が光ディスク１００の方式毎に異なっていても良い。
【０１００】
さらに上述した実施の形態においては、ベース部としてのピックアップベース２７Ａと、固定部としてのアクチュエータ固定部３１と、ワイヤとしてのワイヤ３３と、可動部としてのレンズホルダ３４と、ダンプ剤としてのダンプ剤ＤＭと、カバー板としてのカバー板４０とによって光ピックアップとしての光ピックアップ２７を構成する場合について述べたが、本発明はこれに限らず、その他種々の構成でなるベース部と、固定部と、ワイヤと、可動部と、ダンプ剤と、カバー板とによって光ピックアップを構成するようにしても良い。
【０１０１】
さらに上述した実施の形態においては、ベース部としてのピックアップベース２７Ａと、移動部としての送りモータ２５及びリードスクリュー２６と、固定部としてのアクチュエータ固定部３１と、ワイヤとしてのワイヤ３３と、可動部としてのレンズホルダ３４と、ダンプ剤としてのダンプ剤ＤＭと、カバー板としてのカバー板４０とによって光ディスク装置としての光ディスク装置２０を構成する場合について述べたが、本発明はこれに限らず、その他種々の構成でなるベース部と、移動部と、固定部と、ワイヤと、可動部と、ダンプ剤と、カバー板とによって光ディスク装置を構成するようにしても良い。
【産業上の利用可能性】
【０１０２】
本発明は、映像や音声、或いはコンピュータ用のデータ等の情報を光ディスクに記録し、また当該光ディスクから当該情報を再生する光ディスク装置でも利用できる。
【図面の簡単な説明】
【０１０３】
【図１】従来の光ピックアップの構成を示す略線図である。
【図２】光ディスク装置の構成を示す略線的斜視図である。
【図３】レンズ駆動部の構成（１）を示す略線的斜視図である。
【図４】レンズ駆動部の構成（２）を示す略線的斜視図である。
【図５】レンズ駆動部の構成（３）を示す略線的斜視図である。
【図６】カバー板の構成を示す略線的斜視図である。
【図７】レンズ駆動部の構成（４）を示す略線的平面図である。
【図８】レンズ駆動部の構成（５）を示す略線的平面図である。
【符号の説明】
【０１０４】
１、２７……光ピックアップ、２、２９……レンズ駆動部、４、３３……ワイヤ、５、３４……レンズホルダ、６、２８……対物レンズ、２０……光ディスク装置、２２……トレイ部、３１……アクチュエータ固定部、３１Ｇ……空間部、３１Ｈ……取付孔、３２……ヨーク、３５Ａ、３５Ｂ……マグネット、３６Ａ、３６Ｂ……コイル、３７Ａ、３７Ｂ……アクチュエータ、４０……カバー板、４１……板状部、４２……突出部、１００……光ディスク、ＤＭ……ダンプ剤。
【図１】
2009205714.tif 000003
【図２】
2009205714.tif 000004
【図３】
2009205714.tif 000005
【図４】
2009205714.tif 000006
【図５】
2009205714.tif 000007
【図６】
2009205714.tif 000008
【図７】
2009205714.tif 000009
【図８】
2009205714.tif 000010